(57)【要約】 【課題】  押しボタンの摘み部を回すように操作するだけで、簡単に新しい暗証（解錠）番号に設定することができること。【解決手段】  本発明の押しボタン錠は、施・解錠装置が、暗証番号に基づいて押動される複数個の押しボタンと、該押しボタンにより解錠され得るロックピースを備えたボタン錠に於いて、前記押しボタン６の軸部３３に軸芯方向に沿って上下に互い違いに番号変換用の係合部３６を形成し、摘み部３５を回すように操作して新しい暗証（解錠）番号に設定された該押しボタン６は、前記係合部３６が前記ロックピース１６の被係合部１６ａと係合可能であることを特徴とする。【選択図】  図６
2006241931.tif 000002
【特許請求の範囲】
【請求項１】
暗証番号に基づいて押動される複数個の押しボタンと、該押しボタンにより解錠され得るロックピースを備えたボタン錠に於いて、前記押しボタンの軸部に軸芯方向に沿って上下に互い違いに番号変換用の係合部を形成し、摘み部を回すように操作して新しい暗証（解錠）番号に設定された該押しボタンは、前記係合部が前記ロックピースの被係合部と係合可能であることを特徴とする押しボタン錠。
【請求項２】
請求項１に於いて、暗証番号変換時、変換しようとする押しボタンを１８０度反転させることを特徴とする押しボタン錠。
【請求項３】
請求項１又は請求項２に於いて、押しボタンは、ボタン軸部にバネ部材を備えていることを特徴とする押しボタン錠。
【請求項４】
請求項１に於いて、台座の裏側には、押しボタン案内板が開閉可能に取り付けられており、該押しボタン案内板は、暗証番号変換時以外の時、押しボタンの摘み部と係合する回転規制孔を有することを特徴とする押しボタン錠。
【請求項５】
請求項１又は請求項４のいずれかに於いて、台座の裏側には、押しボタンの端部又は／及び押しボタン案内板の回転規制孔の縁部には、暗証番号変換用の目印が付されていることを特徴とする押しボタン錠。
【請求項６】
請求項１に於いて、押しボタン案内板は、台座の裏側に開閉自在に軸支されていることを特徴とする押しボタン錠。
【請求項７】
請求項１に於いて、押しボタン案内板は、台座の凹所２４を閉鎖する固定裏板に開閉自在に軸支されていることを特徴とする押しボタン錠。
【請求項８】
請求項７に於いて、押しボタン案内板は、裏板に対して、材質自体の弾性変形力および弾性復帰力を有する係合片を介して係脱自在に取り付けられていることを特徴とする押しボタン錠。
【請求項９】
請求項１に於いて、押しボタン錠は、複数個の押しボタン６と係脱可能なクリックピース１５並びにロックピース１６を備えていることを特徴とする押しボタン錠。
【請求項１０】
請求項９に於いて、加えて、押しボタン錠は、押しボタン６と係脱可能なダミーピースを備えていることを特徴とする押しボタン錠。
【発明の詳細な説明】
【技術分野】
【０００１】
本発明は、押しボタン錠に関し、特に扉に外壁面に取り付けられる施・解錠装置を備えた押しボタン錠に関する。
【背景技術】
【０００２】
特許文献１には、解錠番号を変更できるダイアル錠の一例が提案されている。このダイアル錠は、「番号変換時、番号変換ブロックの出し入れにより、ツクを有しかつ夫々対応する二つの部材同志を切り離し可能に係合させ、切り離した状態で摘みを操作し、第１リングストッパー及び第２リングストッパーを夫々内側及び外側内筒に係合させる構成」である。
【０００３】
従来のダイアル錠は、新しい暗証番号を設定する際には、特許文献１に記載のように、まず、二つの部材同志を切り離し、次いで、一方を任意に回転した後に、二つの部材同志を係合させる構成である。したがって、暗証番号設定するためには、少なくとも２以上の部品が必要である。それ故に、番号変換に「手間」と「時間」がかかるという問題点を抱えていた。
【０００４】
ところで、本実施例の押しボタン錠の施・解錠装置と関連する構成として、特許文献２がある。この特許文献２に記載の発明の課題は、同じ押しボタンを複数回押動操作することを可能にし、解錠番号の組み合わせを増やすことである。そのために、解決手段として、予め設定しておいた幾つかの解錠用のタンブラを押しボタンで押動操作することにより、施錠位置に付勢されているスライダの解錠位置への移動が許容される押しボタン式施・解錠装置の台座（ホルダケース）内に、前記タンブラの仮固定位置を台座の表裏方向における複数位置に設定する位置決め機構を設け、押しボタンを一回押動操作するごとにその押しボタンに対応する当該タンブラの仮固定位置を一つずつ台座の裏面側へ進行させる中間機構を設けたことを特徴とする。しかしながら、この種の施・解錠装置も、新しい暗証番号の設定が容易でないという問題点がある。
【特許文献１】特許公開２００２−１３８７２０号公報
【特許文献２】特許公開２００３−１３８８０１号公報
【発明の開示】
【発明が解決しようとする課題】
【０００５】
本発明の課題は、施・解錠装置が、暗証番号に基づいて押動される複数個の押しボタンと、該押しボタンにより解錠され得るロックピースを備えたボタン錠に於いて、押しボタンの摘み部を回すように操作するだけで、簡単に新しい暗証（解錠）番号に設定することができることである。
【０００６】
換言すれば、暗証番号変換時、変換しようとする操作部材同士を組み変えなくても良いことである。また、暗証番号変換時、台座の裏側に設けられた押しボタン案内板を押しボタンの摘み部から離れるように操作する（回転、引き離す）だけで、直ちに暗証番号変換可能な状態となることである。また、目印に基づいて所望の暗証番号を容易に設定することができることである。さらに、変換用摘み部を有する押しボタンを簡単に製作することができることである。
【０００７】
加えて、室内側のサムターン部材を操作するだけで、操作部材の回転を阻止しているストッパー並びに台座内の部材と係合関係にある押しボタンとのロック状態におるロックピースを解消させることができる施・解錠装置を備えたボタン錠に適合することである。
【課題を解決するための手段】
【０００８】
本発明の押しボタン錠は、施・解錠装置が、暗証番号に基づいて押動される複数個の押しボタンと、該押しボタンにより解錠され得るロックピースを備えたボタン錠に於いて、前記押しボタン６の（ボタン）軸部３３に軸芯方向に沿って上下に互い違いに番号変換用の係合部３６を形成し、摘み部３５を回すように操作して新しい暗証（解錠）番号に設定された該押しボタン６は、前記係合部３６が前記ロックピース１６の被係合部１６ａと係合可能であることを特徴とする。
【０００９】
上記構成に於いて、暗証番号変換時、変換しようとする押しボタンを「１８０度」反転させることを特徴とする。その他の特徴は従属項に記載されている。
【発明の効果】
【００１０】
（ａ）押しボタンの摘み部を回すように操作するだけで、簡単に新しい暗証（解錠）番号に設定することができることである。換言すれば、暗証番号変換時、従来は、標識を入れ替え、或いはツク（係合片）を有する操作部材同士を分離して組み変える（分離、回転、係合等の一連の行為）をする必要があったが、これらの行為が不要になった。したがって、短時間で新しい暗証番号を設定することができる。また、変換手段の製作も容易であり、かつ、コストがかからない。
（ｂ）暗証番号変換時、台座から操作部材である押しボタンを取り外さなくても、台座の裏側に設けられた押しボタン案内板を押しボタンの摘み部から離れるように操作（回転、引き離す）だけで、直ちに暗証番号の実行行為に取りかかることができる。
（ｃ）目印のある実施例の場合には、目印に基づいて所望の暗証番号を容易に設定することができる。
（ｄ）実施例によっては、ボタン軸の端部に変換用摘み部を固定的に嵌合するだけで良いから、変換用摘み部を有する押しボタンを簡単に製作することができる。
（ｅ）例えば発明の実施の形態で説明したように、室内側のサムターン部材を操作するだけで、操作部材の回転を阻止しているストッパー並びに台座内の部材と係合関係にある押しボタンとのロック状態におるロックピースを解消させることができる施・解錠装置を備えたボタン錠に適用することができる。
【発明を実施するための最良の形態】
【００１１】
以下、図１乃至図１６に示す本発明を実施するための最良の形態により説明する。
【００１２】
（１）発明の実施の環境
図１は、本発明の押しボタンを適用したボタン錠Ｘである。このボタン錠Ｘは、室内側のサムターン部材を操作するだけで、操作部材の回転を阻止しているストッパー並びに台座内の部材と係合関係にある押しボタンとのロック状態におるロックピースを解消させることができる施・解錠装置を備えている。
【００１３】
まず、図１を参照にしてボタン錠Ｘの全体の環境を説明する。図１は扉１の自由端部側から見た概略説明図である。１は扉、１ａは扉の室内側２の内壁面、一方、１ｂは扉の室外側３の外壁面である。普通一般に、第１順位として扉に取り付けられる錠前は、図示しない錠ケースのフロントからデッドボルトが出没するもの、サムターン摘み側の錠ケースの側壁からデッドボルトが出没するもの、室内側２に位置するサムターン摘みのサムターン軸（駆動芯材）と室外側３に位置するシリンダー錠の駆動軸とが同軸に位置するものと、そうでないものなど色々な型式が存在している。
【００１４】
図１に於いて、上記第１順位の錠前については特に図示しないが、ボタン錠Ｘは、第２順位の、又は第３順位のとして第１順位の等と共に扉１の自由端部に任意に取り付けられる。その意味で、本発明の押しボタン錠Ｘは、「補助錠」と称することもできる。なお、扉１の自由端部の外壁面１ｂに押しボタン錠Ｘの台座５を取り付ける場合には、当然のことながら、各押しボタン６に指が届く箇所が望ましい。
【００１５】
さて、７はサムターンとしての外側の操作部材、一方、８は外側操作部材７とそれぞれの操作軸（外と内のサムターンバー）９，１０を介して一体的に連結するサムターンとしての内側の操作部材、１１はサムターン７，８をそれぞれ回転操作すると補助のフロント板１２から出没する施錠片、１３は連結手段１４を介して台座５に連結される内側の板状台座である。図２は、室外から押しボタン錠Ｘを見た場合に於いて、押しボタン６用前面カバーを切欠して各押しボタン６の配列状態を示している。図２から明らかなように、押しボタン６の先端部３１には算用数字が付されている。図２では、押しボタン６の後端部（変換用摘み部）は見えない。
【００１６】
（２）押しボタン錠Ｘの構成
押しボタン錠Ｘは、扉１の外壁面１ｂ側に取り付けられ、かつ、暗証番号に基づいて押動される複数個の押しボタン６を介して台座５内のロックピースを移動可能な状態にする施・解錠装置を備えている。
【００１７】
この施・解錠装置は、図６、図７で示すように、台座５内に少なくとも複数個の押しボタン６と係脱可能なクリックピース１５並びにロックピース１６をそれぞれ組込み、一方、前記クリックピース１５並びにロックピース１６に関連付けて台座５内に操作手段７，８の操作軸，１０の軸方向にクリックピース用駆動板１７、台座５内に直接又は間接的に回転自在に設けられたストッパー１８に係止された被ロック板１９、該被ロック板が回転することができるように前記ストッパー１８の係止を解除する解除板２１をそれぞれ組込み、室内側の操作手段８の摘み８ａを操作すると、前記解除板１９及び駆動板１７の各回転を介して所定の押しボタン６と係合関係にあるクリックピース１５及びロックピース１６を係合解消の方向へ移動させる構成である。
【００１８】
したがって、施・解錠装置の主な構成部材は、台座５、暗証番号を変換することができる複数個の押しボタン６、操作軸に連結された操作部材８、クリックピース１５、ロックピース１６、クリックピース用駆動板１７、ストッパー１８、被ロック板１９、解除板２１等である。これらの部材との関係で台座５に形成された凹所２４，ストッパー１８用付勢手段，クリックピースに移動に関連して移動する押しボタン用のダミーピース２３等の付加的要件がそれぞれ必要に応じて加味されている。
【００１９】
（３）台座５
次に、押しボタン錠Ｘの台座５について説明する。台座５は、図４で示すように船形状に形成されている。したがって、図１で示した室内側の板状飾り体（板状台座）１３とは著しく形状ないし構造が相違している。台座５は、金属製又は合成樹脂製で裏面側が開放された凹所的部材（内部に幾つかの連通凹所が存在する部材）に形成され、施・解錠装置に必要な構造部材はすべて該台座５に装着ないし組み込まれる。
【００２０】
しかして、台座５は裏側が長さ方向に連続する凹所２４を有する船形状に形成され、一端部側の凹所を形成する空間２４ａには、駆動板、解除板及び被ロック板を操作部材の軸方向に併設し、一方、他端部側の前記連続凹所を形成する空間２４ｂには、複数個のバネ部材２５，２６，２７が組み込まれ、さらに、前記空間２４ｂと空間２４ａと間に相当する前記凹所の大きな空間２４ｃには、板状のクリックピース１５並びにロックピース１６が互いに併設状態に組み込まれる（図６，図７参照）。
【００２１】
図４で示すように、台座５の凹所２４には複数の筒状支柱型の支持部２８が所定間隔離間して設けられている。これらの支持部２８はメネジを有し、図５で示す台座用裏板２９を、複数個の固着具３０を介して固定する機能や駆動板等を所定位置に止めるストッパー機能を有している。裏板２９は、本発明の主要部或いは要部と間接的に関連する事項であるが、裏板２９、押しボタン案内板等については後述する。
【００２２】
（４）押しボタン６とクリックピース１５
本実施形態の押しボタン錠Ｘは、前側に前面カバー２０を有し、該前面カバー２０を、例えば上方に開くと、台座５の表面側に押しボタン６の先端部３１が露出する。押しボタン６は、暗証番号設定用に、少なくとも合計９個マトリックス状に配列されている。
【００２３】
押しボタン６は、暗証番号に基づいて所定の押しボタンを押すと、台座５の裏面側へ移動し、台座５内の係止板との係合が解消する。本実施例では、押しボタン６と係合関係にあるロック部材は、ロックピース１６なので、予め設定した暗証番号に基づいて所定の押しボタンを押すと、押しボタン６はロックピース１６に対するロック（係止状態）を解くことができる。ところで、本発明には直接関係しないが、該押しボタン錠Ｘの特徴事項の一つとして、「押しボタン６とのクリックピース１５係脱関係」が存在する。図１１はその係脱関係を概略で示している。この係脱関係については、押しボタン６の具体的構成を説明してから述べる。
【００２４】
（５）押しボタン６の具体的構成
図８及び図９に押しボタン６の一例を示す。図９を参照にすると、押しボタン６は、望ましくはバネ部材を備え、合計「５個」の部品で構成されている。すなわち、３１はキャップ状の操作部で、この操作部３１は、表面に数字等の標識が付された嵌合部３１ａと、該嵌合部３１ａの開口端部に周設され、かつ、台座５に形成された押しボタン６の係合孔５ａの縁部に係止され得るフランジ部３１ｂとから成る。
【００２５】
嵌合部３１ａは、押しボタン６の先端部に相当する。嵌合部３１ａの外形寸法は、台座５側の係合孔５ａの内径寸法を考慮して適宜に設定されている（図６では左側）。
【００２６】
３２は長板状ボタン軸部３３用の固定手段で、該固定手段３２は前記嵌合部３１ａに固定的に嵌合し、一方、前記ボタン軸部３３の先端部３３ａは、固定手段３２の係合溝３２ａに固定的に係合する。３４はボタン軸部３３に巻装されたバネ部材（例えば圧縮コイルバネ）で、該バネ部材３４は、図６で示すように、前述した嵌合部３１ａのフランジ部３１ｂが係合孔５ａの縁部に当たるように付勢する。
【００２７】
したがって、適当なリセット手段（例えばリセットボタン、内側操作部材８など）にリセットとされると、押しボタン６は、バネ部材３４のバネ力により、ロックピース１６に対してロック（係止）する初期位置（フランジ部３１ｂが係合孔５ａの縁部に当たる位置）へと戻る。
【００２８】
３５はボタン軸部３３の後端部３３ｂに固定的に係合或いは嵌合する暗証番号変換用の摘み部である。この摘み部３５の先端部には、裏板２９の内壁面に係止され得るフランジ部３５ａが周設され、一方、後端面には目印Ｍ１が付されている。
【００２９】
しかして、前記ボタン軸部３３には、図８で示すように、軸芯方向に沿って上下に互い違いに暗証番号変換用の切欠状係合部３６，３６が形成されている。切欠状係合部３６，３６は、押しボタン錠Ｘの施・解錠装置を構成するロックピース１６との係脱関係で、少なくとも軸芯方向に「２個以上」必要である。
【００３０】
ここで、新しい解錠番号を設定する場合について説明すると、図１２で示すように、摘み部３５を回すように操作して新しい暗証（解錠）番号に設定された該押しボタン６は、前記水平方向の切欠状係合部３６，３６が前記ロックピース１６の被係合部（例えば係合孔）１６ａと係合可能である。本実施例では、暗証番号変換時、変換しようとする押しボタン６を「１８０度」反転させる。そうすると、押しボタン６の係合部３６，３６の向きが反転することになるから、いわゆるひっくり返すだけで、いままで解錠用の切欠部分であった所が、非解錠用となる反面、非解錠用の切欠部分であった所が、解錠用の切欠部分となって入れ替わる。
【００３１】
ところで、本実施例では、台座５の裏側には、押しボタン案内板５１が開閉可能に取り付けられている。そして、該押しボタン案内板５１は、暗証番号変換時以外の時、押しボタンの後端部と係合する回転規制孔５４を有している。そこで、押しボタン案内板５１について説明する。
【００３２】
（６）押しボタン案内板５１
図５は、押しボタン案内板５１と、該押しボタン案内板５１に関係する固定裏板２９の分解斜視図である。押しボタン案内板５１は、台座５の裏側に直接開閉自在に軸支しても良いが、本実施例では、台座の凹所２４を閉鎖する固定裏板２９に開閉自在に軸支されている。ここで、固定裏板２９の構成について説明する（詳細は本発明の限定要件ではないので、簡単に説明する）。
【００３３】
固定裏板２９には、適宜箇所に符号を付さない押しボタン６用貫通孔、支持部２８用貫通孔や固着具３０用孔がそれぞれ形成されている。押しボタン案内板５１と関係する箇所は、上端部２９ａ側に形成された端面逆Ｕ字形状の折り曲げ部分を押しボタン案内板５１用の支持部３７とし、該支持部３７の左右端部にやや幅広の嵌め込み用切欠部３８，３８を一対形成した点である。
【００３４】
そこで、押しボタン案内板５１の上端部５１ａには、前記嵌め込み用切欠部３８，３８を介して前記支持部３７に支持される得る係合片５２，５２が左右に一対突出形成されている。
【００３５】
しかして、これらの係合片５２，５２の外壁面には小突起状の軸部５３，５３がそれぞれ設けられ、これらの軸部５３，５３は、材質自体の弾性変形力および弾性復帰力を有する係合片５２，５２を介して裏板２９に係脱自在に取り付けられる。
【００３６】
また、押しボタン案内板５１は、少なくとも押しボタン６の数に相当する押しボタン６用の回転規制孔５４を有し、これらの回転規制孔５４は、例えばトラック形状に形成され、押しボタン６を水平方向にガイドする機能や回転を阻止する回転規制機能を有する。そして、暗証番号変換時以外の時には、押しボタン案内板５１の回転規制孔５４は、押しボタンの変換用摘み部（後端部）３５と係合する。
【００３７】
一方、押しボタン案内板５１の下端部５１ｂには、弾性係合摘み５５が突出形成されている。この弾性係合摘み５５は裏板２９の被係合部３９と係脱可能である。押しボタン案内板５１は、弾性係合摘み５５を介して所定角度（例えば９０度）まで持ち上げると、裏板２９の支持部３７に支持され、図６で示す仮想線で示すように持ち上げた位置で停止する。
【００３８】
ところで、前記押しボタンの変換用摘み部３５には、印Ｍ１が付されている旨を説明したが、図３で示すように、本実施例の押しボタン案内板５１は、各回転規制孔５４の縁部に暗証番号変換用の目印Ｍ２を有している。したがって、押しボタン案内板５１を持ち上げ、次いで、変換用摘み部３５側の印Ｍ１と押しボタン案内板５１の目印Ｍ２を参照にしながら、所望する押しボタン６をひっくり返し、新しい解錠番号を任意に設定することができる。なお、新しい解錠番号を設定する時は、前述したように、適当なリセット手段（例えば内側操作部材８など）を利用して押しボタン６をリセットする。そこで、次に、リセットの一例について説明する。
【００３９】
（７）押しボタン６のリセット
図１３は、内側の操作部材８を操作すると、クリックピース１５に係止されている所定の押しボタン６が、駆動板１７の駆動力によりスライドするクリックピース１５から係止解除され、台座５内のダミーピース２３に支持されている押しボタン復帰用バネ３４のバネ力により自動的に初期位置に復帰することを矢印で示したものである。
【００４０】
すなわち、クリックピース１５は、各押しボタン６の位置に対応して長さ方向に３列の案内開口６０がそれぞれ適宜に形成されているが、これらの案内開口６０に臨むように複数個（例えば１０個）の係止爪６１が所定間隔離間して設けられている。
【００４１】
したがって、本実施例では、暗証番号に基づいて所定の押しボタン６を押すと、当該押しボタン６は台座５の裏面側へ移動してロックピース１６に対するロック（係止状態）が解かれるものの、押動された所で符号を付さない係合部がクリックピース１５の係止爪６１に係止されるので、初期位置へは戻らない。つまり、押動された押しボタン６は、その係合部がクリックピース１５の係止爪６１に引っ掛かるので、押しボタン復帰用バネ３４が作用していても、元の位置へと戻ることができない。それ故に、押しボタン６のロックピース１６に対するロック解除（係止状態）を保持することができる。
【００４２】
そこで、室内側２から内側操作部材８を操作すると、本実施例では、操作部材８に連結する外側操作部材７のサムターンバー９に該サムターンバーと共働するクリックピース１５用の駆動板１７が設けられていることから、図１４で示すように、駆動板１７の指先状突起部１７ａがクリックピース１５の一端面（図７では下端面）を回転しながら押し上げる。その結果、クリックピース１５用のバネ２５のバネ力に抗してスライド（例えば上昇）したクリックピース１５の係止爪６１が解除設定された各押しボタン６の係合部３５ａから離れ、押しボタン復帰用バネ３４のバネ力によりリセットされる。
【００４３】
（８）クリックピース１７，ロックピース１６等
本実施例では、クリックピース１７は本発明の限定要件ではないが、図１５，図１６を参照にして、クリックピース１７，ロックピース１６等について記述する。台座５内には、少なくとも押しボタン６と係脱可能なクリックピース１５並びにロックピース１６が組み込まれている。また、クリックピース１５に移動に関連して移動（同期移動、追動など）する押しボタン用のダミーピース２３が配設されている。
【００４４】
特に本発明では、台座５内のスペースを有効的に活用するために、各部材１５，１６，２３を合理的に配設或いは組み合わせている。すなわち、台座５は裏側には長さ方向に連続する凹所２４が形成され、該凹所２４内には、駆動板１７、解除板２１及び被ロック板１９を操作部材９の軸方向に併設して組み込み、また、クリックピース１５，ロックピース１６，ダミーピース２３を互いに併設状態に組み込み、さらに、これらのピース１５，１６，２３をそれぞれ所定方向に付勢する複数個のバネ部材２５，２６，２７を台座５の上端部側の空間部分２４ｂに一括的に組み込んでいる。
【００４５】
そこで、クリックピース１５，ロックピース１６等の構成を説明すると、まず、肉厚板状のクリックピース１５は、案内開口６０、係止爪６１を有している。図１６を基準にすると、クリックピース１５の上端部１５ａは台座５の上端部の曲率に沿って弧状に形成されていると共に、該弧状の上端部１５ａにバネ部材２５，２６，２７収納用の単数又は複数（本実施例）の切欠凹所６２が形成されている。そして、該切欠凹所６２内には、その切欠の内端面から外方向に延びるバネ支持棒６３が複数本（３本）設けられている。
【００４６】
しかして、左側に位置するバネ支持棒６３には、クリックピース１５用の長いバネ部材２５が、右側に位置する同じ長さの二本のバネ支持棒６３，６３には、ロックピース１６用のバネ部材２６とダミーピース２３用のバネ部材２７がそれぞれ適宜に巻装されている。
【００４７】
次に、板状のロックピース１６について説明する。ロックピース１６複数個の係合孔１６ａや突起部分１６ｂを有する。また、図１６を基準にすると、ロックピース１６の上端部の右側には、バネ部材２６用のバネ支持部１６ｃが適宜に突出形成され、該バネ支持部１６ｃとクリックピース１５の前述した切欠凹所６２の内端面との間には一番右側のバネ支持棒６３を介してバネ部材２６が組み込まれる。
【００４８】
したがって、バネ部材２６は、クリックピース１５が上方に移動すると、ロックピース１６をそのバネ支持部１６ｃを介して上方に付勢するので、本実施例では、クリックピース１５に連動（追動も含む）してロックピース１６も同方向へ移動可能である。
【００４９】
一方、ロックピース１６の下端部の右側には、ストッパー１８の自由端部を受けるストッパー支持部１６ｅが突出形成されている。さらに、ロックピース１６の下端部には、ロックピース１６の移動を制御する垂直長孔６５等が適宜に形成されている。
【００５０】
次に、板状のダミーピース２３について説明すると、該ダミーピース２３もロックピース１６と略同様に形成されている。すなわち、ダミーピース２３も押しボタンの位置に対応して複数個の係合孔２３ａを有すると共に、上端部にはロックピース１６のバネ支持部１６ｃに重ならないように中央部寄りの位置に多少シフトしてバネ支持部２３ｃが突出形成されている。なお、ロックピース１６と比較すると、ダミーピース２３の下端部は内側に弧状に形成されている、下端部の中央部に形成されたダミーピース移動制御用の垂直長孔６６が若干短い等の差異がある。
【００５１】
ここで、ダミーピース２３用のバネ２７について説明すると、該バネ２７は、前述したバネ２６と同様に隣のバネ支持棒６３を介してバネ支持部２３ｃとクリックピース１５の切欠凹所６２の内端面の間に組み込まれる。したがって、該ダミーピース２３も、クリックピース１５に連動（追動も含む）してロックピース１６も同方向へ移動可能である。本実施例では、本発明の特定要件に関係しない事項であるが、例えば前述した移動制御用の垂直長孔６５，６６を介してダミーピース２３をクリックピース１５に追従させている。
【実施例】
【００５２】
本発明の本質的事項は、押しボタンの（ボタン）軸部３３に軸芯方向に沿って上下に互い違いに番号変換用切欠状係合部を形成したことであり、押しボタンの形状は、一例に過ぎない。したがって、押しボタンの軸部３３の形状は、円柱状、棒状体などであっても良い。
【００５３】
また、押しボタンの切欠状係合部（オス側或いはメス側）３６とロックピースの被係合部（メス側或いはオス側）１６ａを相互に置換しても、発明の本質的事項には変わりはない。例えば押しボタンの切欠状係合部（例えば切欠の縁部）が、前記ロックピースの被係合部（例えば係合孔）と係合可能であり、そして、押しボタンの摘み部を回すように操作して新しい暗証（解錠）番号に設定された該押しボタンは、その反転した水平方向の切欠状係合部が、ロックピースの被係合部と係合可能に成れば良い。
【産業上の利用可能性】
【００５４】
本発明は、主に錠前や建具の業界で利用される。
【図面の簡単な説明】
【００５５】
図１乃至図１６は本発明の最良の実施例を示す各説明図。
【図１】実施の環境を示す扉の自由端面側から見た概略説明図。
【図２】室外側から扉の外壁面に向かって見た場合における台座、押しボタン等に概略説明図。
【図３】台座の裏側から見た概略説明図（特に、押しボタン案内板と押しボタンとの関係）。
【図４】台座を裏側から見た概略的斜視図。
【図５】押しボタンと関係のある要部の分解斜視図（裏板と押しボタン案内板）
【図６】本発明の内部構造を示す概略断面説明図（押しボタン案内板を持ち上げた旨も示す）。
【図７】台座の裏側から見た各部材の説明図（押しボタン、被ロック板，ストッパー，クリックピース，バネ等）。
【図８】主要部材（押しボタン）の正面図。
【図９】主要部材（押しボタン）の分解斜視図。
【図１０】主要部材（押しボタン）とロックピース等との係合関係を示す説明図。
【図１１】主要部材（押しボタン）とクリックピースとの係合関係を示す説明図。
【図１２】新しい暗証番号を設定する場合の概略説明図。
【図１３】押しボタンとクリックピースとの係脱関係を示す説明図。
【図１４】室内側から内側操作部材を矢印Ａ方向へ回した時の説明図。
【図１５】錠前の主要部材（クリックピース，ロックピース，ストッパー等）の分解斜視図。
【図１６】錠前の主要部材の正面からの説明図。
【符号の説明】
【００５６】
Ｘ…押しボタン錠、１…扉、１ａ…内壁面、１ｂ…外壁面、２…室内側、３…室外側、５…外側の台座、５ａ…係合孔、６…押しボタン、７…外側操作部材、８…内側操作部材、８ａ…摘み、９，１０…操作軸、１１…施錠片、１２…補助のフロント板、１３…内側の台座、１４…連結手段、１５…クリックピース、１５ａ…クリックピースの上端部、１６…ロックピース、１６ａ…被係合部、１６ｂ…突起部分、１６ｃ…バネ支持部、１６ｅ…ストッパー支持部、７…クリックピース用駆動板、１７ａ…指先状先端部、１８…ストッパー、１９…被ロック板、２１…解除板、２３…ダミーピース、２３ａ…係合孔、２３ｃ…バネ支持部、２４…凹所、２４ａ…一端部側、２５，２６，２７…バネ、２８…支持部、２９…裏板、２９ａ…上端部、３０…固着具、３１…操作部、３１ａ…嵌合部、３１ｂ…フランジ部、３２…固定手段、３２ａ…係合溝、３３…ボタン軸部、３３ａ…先端部、３３ｂ…後端部、３４…押しボタン復帰用バネ部材、３５…摘み部、３６…番号変換用係合部、３７…支持部、３８…切欠部、３９…被係合部、４１，４２，４３…係合孔、４１ａ，４３ａ…係合受け面、４４，４５…間隙、４７…付勢手段、５１…押しボタン案内板、５１ａ…上端部、５１ｂ…下端部、５２…係合片、５３…軸部、５４…回転規制孔、５３…弾性係合摘み、Ｍ１…押しボタン側の目印，Ｍ２…案内板側の目印。
【図１】
2006241931.tif 000003
【図２】
2006241931.tif 000004
【図３】
2006241931.tif 000005
【図４】
2006241931.tif 000006
【図５】
2006241931.tif 000007
【図６】
2006241931.tif 000008
【図７】
2006241931.tif 000009
【図８】
2006241931.tif 000010
【図９】
2006241931.tif 000011
【図１０】
2006241931.tif 000012
【図１１】
2006241931.tif 000013
【図１２】
2006241931.tif 000014
【図１３】
2006241931.tif 000015
【図１４】
2006241931.tif 000016
【図１５】
2006241931.tif 000017
【図１６】
2006241931.tif 000018